(57)【要約】【課題】  クリアファイルなどのファイリング用具に印刷等を行うことなくメッセージを掲載し、従来に無いインパクトのあるファイリング用具を提供する。【解決手段】  樹脂製の表側シート１０２と裏側シート１０４を重ねて溶着することによって、当該表側シート１０２と裏側シート１０４間に書類等を収納できるファイリング用具１００であって、溶着時に発生する溶着部１１０の凹凸形状を、文字（数字を含む）、図形、記号若しくはこれらを組み合わせた形状で構成する。また、溶着部１１０に不可逆性の示温材を塗布しておくことによって、溶着部１１０の凹凸形状部分が溶着時の発熱により発色するので文字等の視認性が向上する。【選択図】図１
0003172496.tif 000002
【実用新案登録請求の範囲】
【請求項１】
表側シートと裏側シートを重ねて溶着することによって、当該表側シートと裏側シート間に書類等を収納できるファイリング用具であって、
前記溶着部の凹凸形状が、文字（数字を含む）、図形、記号若しくはこれらを組み合わせた形状とされている
ことを特徴とするファイリング用具。
【請求項２】
一枚のシートを折り曲げて表側シートと裏側シートとし、当該表側シートと裏側シートを重ねて溶着することによって、当該表側シートと裏側シート間に書類等を収納できるファイリング用具であって、
前記溶着部の凹凸形状が、文字（数字を含む）、図形、記号若しくはこれらを組み合わせた形状とされている
ことを特徴とするファイリング用具。
【請求項３】
請求項１又は２において、
前記表側シート及び／又は前記裏側シートの溶着部に、予め不可逆性の示温材が塗布されている
ことを特徴とするファイリング用具。
【考案の詳細な説明】
【技術分野】
【０００１】
本考案は、ファイリング用具に関し、特にクリアファイルのように表側シートと裏側シートの間に書類等を収納できるファイリング用具に関する。
【背景技術】
【０００２】
従来、書類等を保管、運搬等するためのファイリング用具が広く利用されている。このファイリング用具には、例えば所謂「クリアファイル」が含まれる。クリアファイルは二枚重ねの（若しくは一枚の樹脂性シートを折り曲げて二枚重ねとした）樹脂性シートの周囲を溶着して、その間に書類等を収納できるように構成されている（特許文献１参照）。
【０００３】
また溶着の手法は種々の方法が利用可能であるが、近年は、図６に示しているような超音波溶着が広く利用されている。超音波溶着は、超音波振動子２から発せられる超音波振動をアルミニウム合金やチタン合金等で形成したホーン３に対して伝達し、この振動とホーン３の加圧（樹脂に対する加圧）により樹脂を溶着してシールする手法である。ホーン３の先端には所定の形状の凹凸３ａが形成されていて、ホーン３に伝達された超音波と加圧の相互作用によって、樹脂側には凹凸３ａに対応する形状の凸凹１ａが形成されつつ溶着される。
【先行技術文献】
【特許文献】
【０００４】
【特許文献１】特開２０１０−１２７６２号公報
【考案の概要】
【考案が解決しようとする課題】
【０００５】
しかしながら、従来の溶着部分の凹凸形状は一定の形状（例えば図６に示しているように単なる矩形）が連続するだけのものであり何らメッセージ性のあるものではなかった。仮にクリアファイルに何らかのメッセージを表現しようとするとクリアファイルの表面（又は／若しくは裏面）に印刷等を行ったり、ラベル等を貼付することでその目的を達成することは可能である。しかし印刷やラベルの貼付では収納する書類の中身を隠してしまうことになり「収納した状態でも書類の中身を容易に視認できる」というクリアファイルのメリットを阻害してしまうことにもなる。
【０００６】
本考案は、これらの問題を解決するべくなされたものである。
【課題を解決するための手段】
【０００７】
上記課題を解消するべく、本考案は、表側シートと裏側シートを重ねて溶着することによって、当該表側シートと裏側シート間に書類等を収納できるファイリング用具であって、前記溶着部の凹凸形状が、文字（数字を含む）、図形、記号若しくはこれらを組み合わせて構成されていることを特徴とする。又は一枚のシートを折り曲げて表側シートと裏側シートとし、当該表側シートと裏側シートを重ねて溶着することによって、当該表側シートと裏側シート間に書類等を収納できるファイリング用具であって、前記溶着部の凹凸形状が、文字（数字を含む）、図形、記号若しくはこれらを組み合わせて構成されていることを特徴とする。
【０００８】
即ち、溶着部分の形状を利用して何らかのメッセージを表現することによって、収容する書類を隠すことなくメッセージを掲載でき、また、従来単純形状の凹凸で形成されていた溶着部分が文字等に置き換わることによって、インパクトのあるファイリング用具を提供することが可能となる。
【０００９】
例えば、溶着部分の凹凸形状を会社住所や会社名、更には電話番号やウェブサイトＵＲＬ、電子メールアドレス、会社ロゴマークの形状等とする事によって宣伝効果を発揮させることができる。もちろんそれ以外にも電子メール等で頻繁に利用される「顔文字」や特定のメッセージ（「有り難うございました」、「Ｔｈａｎｋ  Ｙｏｕ」など）の文字等を使って溶着部分の凹凸形状を表現すれば相手方にこちら側の気持や意図を伝達する事も可能となる。
【００１０】
更に、これら表側シート及び／又は前記裏側シートの溶着部に、予め不可逆性の示温材を塗布しておいてもよい。このように構成すれば、溶着時の熱によって溶着部が変色するので、文字や図形で構成される溶着部の凹凸形状をより視認し易くなる。
【考案の効果】
【００１１】
本考案により、クリアファイルなどのファイリング用具に印刷等を行うことなくメッセージを掲載し、従来に無いインパクトのあるファイリング用具を提供することができる。
【図面の簡単な説明】
【００１２】
【図１】本考案の第１実施例を示した正面図である。
【図２】本考案の第２実施例を示した正面図である。
【図３】本考案の第３実施例を示した正面図である。
【図４】本考案の第４実施例を示した正面図である。
【図５】本考案に係るファイリング用具を超音波用溶着により製造する方法を示した概略構成図。
【図６】従来のファイリング用具を超音波用溶着により製造する方法を示した概略構成図。
【考案を実施するための形態】
【００１３】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１４】
〈ファイリング用具の構成〉
本考案に係るクリアファイル（ファイリング用具）１００は、一枚の透明な樹脂シートを折り曲げて表側シート１０２と裏側シート１０４の２枚重ねとし、下部に超音波溶着によってシールされた溶着部１１０を有する。この溶着部１１０の存在によって、書類１２０が落下することなくクリアファイル１００に保持されている。またここでの溶着部１１０の形状（凹凸形状）は「○○株式会社」という文字が繰り返された構成とされている。
【００１５】
溶着部分１１０の溶着は、図５に示しているように、超音波溶着によって行われる。ホーン３の先端に表現したい文字（数字を含む）、図形、記号等の凸凹を形成しておき、その上で超音波振動子２からの振動を与える。同時にホーン３をクリアファイル１００側に押圧して圧力を加える。これにより、ホーン３の先端に形成した凸凹に対応した凹みがクリアファイル１００側に形成されると共に、当該凹みの部分で表側シート１０２と裏側シート１０４が溶着されてシールされる。なお溶着の手法は限定されず、本考案の目的を達成することが可能な限度においてその他の溶着方法を利用してもよい。
【００１６】
このように、本考案にかかるクリアファイル１００では、溶着部分の凹凸形状を利用してメッセージを掲載しているので、収納保持する書類等を隠すことがない。また、従来単純形状の凹凸で形成されていた溶着部分が立体的な文字、図形等に置き換わることによって、クリアファイルの使用者にインパクトを与えることできる。
【００１７】
なお上記では一枚の樹脂シートを折り曲げて下部を溶着シールした構成のクリアファイルであるが、その他の構成も可能である。例えば、図２に示しているように、独立した表側シート２０２と裏側シート２０４を重ね合わせて一方側部（ここでは左側）と下部を溶着して溶着部２１０とした構成であってもよい。
【００１８】
更には図３に示しているように、多穴バインダ収納用ホルダ３００として構成することもできる。ここでは表側シート３０２と裏側シート３０４が左側部で溶着されるとともに多穴バインダ用の係止孔３０６が形成されている。更に上下にカード３２０を区分けして収納することができるように当該上下の仕切部分を顔文字の形状でシールされている。このように、溶着部分は必ずしもシートの周縁部分だけではなく、中央部分等に形成されていてもよい。
【００１９】
また、より簡易的なファイリング用具として、図４に示しているように、重ね合わせた２枚のシート４０２、４０４の一辺部分だけをシールしてその間に書類を挟み込むような構成のファイリング用具であってもよい。
【００２０】
なお、溶着部分の凹凸形状は原則として文字（数字を含む）、図形、記号又はこれらの組合わせで構成されるが、一部にそれ以外のものが含まれていてもよい。また、他人に何らかの情報や気持、意図を伝達することができる限りにおいて、上記以外のものであっても凹凸形状に取り入れて構成することが可能である。
【００２１】
なお、表側シートや裏側シートの溶着部周辺に、予め不可逆性の示温材を塗布しておけば、溶着時の熱によって示温材が変色して溶着部が変色するので、文字や図形で構成される溶着部の凹凸形状をより視認し易くなる。より詳しくは、溶着時における溶着部の温度域で所望の色に発色しその後は温度が低下しても発色したままとなる性質（不可逆性）を備えた示温材を塗布等しておくことによって、文字や図形で構成される凹凸形状をより視覚的に目立たせることが可能となる。
【符号の説明】
【００２２】
１００・・・ファイリング用具（クリアファイル）
１０２・・・表側シート
１０４・・・裏側シート
１１０・・・溶着部
１２０・・・書類
【図１】
0003172496.tif 000003
【図２】
0003172496.tif 000004
【図３】
0003172496.tif 000005
【図４】
0003172496.tif 000006
【図５】
0003172496.tif 000007
【図６】
0003172496.tif 000008